(57)【要約】      （修正有）【課題】尿漏れ、経血、便漏れ等の日常における身体排泄物の処理に関して身体への着用がコンパクトで軽量であるため、簡単便利で快適であり安価に大量生産ができる使い捨て排泄物の立体防護カバーを提供する。【解決手段】通気性があり適当な可撓性を有する軽量のシート材によって、身体における局部性器及び肛門部に適合して、限定的な最小の範囲でコンパクトに外包し、身体局部の形状に合わせて適合合致する湾曲の曲面を有する立体防護カバー本体１を設ける。この立体防護カバー本体１には、身体局部との間に吸収体を介在させる為の空間を形成するとともに、立体防護カバー本体１には伸縮自在な支持ベルト１０を連結自在に設けて、身体への着用時におけるファッション性ならびに快適性を高め身体への圧迫と緊縛を解く。【選択図】図１
0003191283.tif 000002
【実用新案登録請求の範囲】
【請求項１】
通気性があり適当な可撓性を有する軽量のシート部材により、身体における局部性器及び肛門部に適合して、限定的な範囲で外包するとともに、身体局部の形状に適合して、合致する曲面を有する立体カバー防護本体を設け、この立体防護カバー本体内には身体局部との間に吸収体を内在させる空間を形成し、上記カバー防護本体には伸縮自在な支持ベルトを連結自在に設けたことを特徴とする使い捨て排泄物の立体防護カバー。
【請求項２】
前記カバー本体の男性器ならびに肛門部に合致して適合する部分に折りたたみ自在な収納ポケット部を設けたことを特徴とする使い捨て排泄物の立体防護カバー。
【請求項３】
前記立体防護カバー本体の外周には、身体下腹部から股間にかけての局部形状に適合して合致するよう形成した漏れ止め用の湾曲縁部を設けたことを特徴とする使い捨て排泄物の立体防護カバー。
【考案の詳細な説明】
【考案の詳細な説明】
【技術分野】
【０００１】本考案は尿漏れ経血及び便漏れ等の排泄物の処理を行う使い捨て立体防護カバーに係り、高齢化社会における深刻な排泄物処理の防護を簡単に安全に快適に、しかも安価に大量生産ができる排泄物の処理における使い捨て立体防護カバーに関するものである。
【背景技術】
【０００２】従来から公知の技術である排泄物の処理は、尿漏れ経血及び便漏れ等の排泄物を吸収処理する吸収体と、この吸収体を内装する腰部全体を覆うパンツ型との併用によって排泄物を防護している。しかしこの種のパンツタイプの排泄物の防護方法では、排泄物の漏洩を防ぐことができる反面、身体への緊縛等の負担が大きく、着用時にはかならずしも快適とはいえない悩みがあった。また着用するパンツの生産の工程上においてパンツ型のものは、加工工程が多く素材も多く必要とする為に、コスト高になる多くの欠点があった。このほか排泄物の防護カバーとして、例えば特許文献１があり、この排泄物を防護するカバーの構造は、素材量の使用を大幅に減少し着用感が良好である反面、単に局部を押圧して防護する方式であり特に女性器を対象としてのものである為、当然性器の形が大きく異る男性器への使用は不可能の欠点があった。
【特許文献１】特  ２０００−５２２８号  明細書
【考案の開示】
【考案が解決しようとしている課題】
【０００３】本考案使い捨て立体防護カバーは男女の外性器を必要最小限度の範囲でコンパクトに外包し、着用時における身体への負担を軽減することにより快適性を最大限に高めるとともに、軽量にして排泄物の漏洩等の心配がなく安全便利でしかも安価で大量生産ができる。その上に着用時のファッシヨン性にも配慮して考案された使い捨て排泄物の立体防護カバーに関するものである。
【０００４】以上の目的を達成する為に、本考案の立体防護カバーは身体の排泄器官周辺の身体形状に合わせ適合するように湾曲した曲面形状に形成したものである。こうした立体防護カバー本体によって身体における局部周辺を必要最小限度の範囲でコンパクトに外包することにより、着用時における身体への緊縛感がなく、排泄物の漏洩の心配が不用で安全便利である為に、身体の動きが非常に軽くなり、解放的でしかも快適な日常生活を過ごせるようにしたものである。
【課題を解決する為の手段】
【０００５】請求１の考案使い捨て立体防護カバーは、通気性があり適当な可撓性を有するシート状の不識布の部材を用いて、身体局部特有の形状を外包するように排泄物器官周辺の形状に適合するよう独特の曲面形状に形成した立体防護カバー本体を設け、この立体防護カバー本体には、伸縮自在な支持ベルトを設けたことを特徴とする使い捨て排泄物の立体防護カバーである。
【考案の効果】
【０００６】本考案は一種の排泄物を防護するガードカバーであるが、重要な点は軽量でコンパクトにもかかわらず身体への着用が安全便利で、しかもコスト面で安く、大量生産ができるようにしたものである。こうして高齢化の現在、介護用にかかる費用が生活の費用を一段と圧迫している為、使用時の快適性と経済性を第一目的として考案した使い捨ての立体防護カバーである為、社会的意義と効果は尽大である。
【考案を実施する為の最良の形態】
【０００７】本考案の使い捨て排泄物の立体防護カバーを、添付の図面を参照して詳細に説明すると以下の通りである。
【０００８】実施例１では本考案の使い捨て立体防護カバーを、図１において立体の斜視図で示されているように、１は立体防護カバー本体を示し、図５．６で示す。２は身体、３はその下腹部、４は股間、５は男性器で、５ａはそのペニス、５ｂは睾丸を示す。立体防護カバー本体１の全体の形状としては図１に示すように、身体２の下腹部３から股間４に至る必要最小限度の範囲で、コンパクトに排泄器官全体を外包するように立体的に形成したものである。使用する部材としては、通気性があり適当な可撓性を有し、軽量で丈夫でしかも安価に大量生産ができる不識布を使用する。この立体防護カバー本体１には、男性器５の位置に適合し、合致する位置には図４に示すように、折りたたみ自在の第１カップ部６を設ける。この第１カップ部６には着用時において男性器５が快適に収納できるように形成する。７は身体２の肛門部（図示せず）に適合する位置に設けた折りたたみ自在な第２カップ部で、この第２カップ７によって思いがけない突然の便漏れ時に、便を第２カップ７内に収納できるように設けたものである。
【０００９】８は立体防護カバー本体１の外周に設けた尿漏れ等の排泄物防止用の湾曲縁部であり、この縁部８は図６．７に示すように、身体２の下腹部３から股間４に至る身体２の形状に適合するよう湾曲形成したものであり、この湾曲縁部８により着用時における横漏れをしっかりと防止する。９は立体防護カバー本体１に形成した補強用のリブ溝であり、このリブ溝９により立体防護カバー本体の強度を高めると共に外観上の美的効果も高める。１０は立体防護カバー本体１を身体２に着用する為の支持ベルトであり、この支持ベルト１０は伸縮自在な部材を使用することにより、立体防護カバー本体１と身体２との間に内装する吸収体（図示せず）の取り付け、取り出しを容易に行えるようにする。１１は立体防護カバー本体１と支持ベルト１０との接続部を示し、この接続部１１は必要に応じて切り離し自在の構造にすることにより、寝たきりなどの身体が不自由な要介護の場合でも立体防護カバー本体１の着脱が容易に行えるようにする。１２は尻部３ａを限定的に外包する延長カバー部を示す。図７は実施例１の本考案使い捨て立体防護カバー本体１を上方から見た平面図であり図８はその底面図である。
【実施例２】
【００１０】図９は立体防護カバー本体１の股間４部分に設けられた第２カップ７から、図５に示す身体２の尻部３ａを覆う延長カバー片１２を示すものであり、この延長片１２を設けることにより身体尻部３ａ部分がカバーされる為夜間就寝時における身体２の動きに左右されることなく安心安全に立体防護カバー本体１をしっかりと身体２に着用できるようにしたものである。
【実施例３】
【００１１】図１０で示すように立体防護カバー本体１は実施例１のような折りたたみ開閉部６、７を設けずに、排泄器官全体を必要最小限度の範囲で外包するようにし、シンプルで安価に生産できるようにした例を示したものであり、この場合には薄手のシート材の強度を高めるように、補強リブ９を効果的に配置して設ける。補強リブ９を必要な箇所に形成することにより、ガードカバー全体の形を崩すことなく保持させることができると共に外観上のファッション性も一段と高めてくれる。
【実施例４】
【００１２】図１１に示す立体防護カバー本体１は、通気性、可焼性を有し軽量な不織布等のシート材によって女性器（図示せず）に合致適合するように形成した例を示したものであり、この場合には、もちろん男性器５を収納するカップ部６を必要としない為、身体２の排泄器官を必要最小限度で外包する形成することによって、コンパクトで着用時における身体への緊縛感を排除して、解放的は日常を過ごせるようにしたものであり、軽量でファッション性にも秀れているものである。この実施例３において重要な点は、上記男性器５への対応と同様に身体２の下腹部３から股間４にかけての身体形状に合致適合するように形成した点であり、この独特の湾曲部１３を形成することによって、排泄器官からの排泄物の漏洩をコンパクトに確実に防止することができる。
【産業上の利用可能性】
【００１３】この考案によれば使い捨て立体防護カバーの着用時における身体への緊縛感は一切なく、解放的で安全確実に排泄物をガードでき、コンパクトでファッション性に優れ、しかも安価に大量生産が可能になる等産業上において多くの効果がある。
【図面の簡単な説明】
【００１４】
【図１】本考案の立体斜視図である。
【図２】本考案の正面である。
【図３】本考案の側面図である。
【図４】本考案の展開した状態を示す正面図である。
【図５】本考案の身体へ着用した状態を示す正面図である。
【図６】本考案の身体へ着用した状態を示す背面図である。
【図７】本考案の平面図である。
【図８】本考案の底面図である。
【図９】本考案の実施例２を示す図４と同様な正面図である。
【図１０】本考案の実施例３を示す図３と同様な側面図である。
【図１１】本考案の例４を示す図１と同様の立体斜視図である。
【符号の説明】
【００１５】１．  立体防護カバー本体
２    身体
３    下腹部
３ａ  尻部
４    股間
５    男性器
５ａ  ペニス
５ｂ  睾丸
６    第１カップ部
７    第２カップ部
８    漏洩防止用湾曲縁部
９    補強リブ溝
１０  支持ベルト
１１  接続部
１２  延長カバー部
１３  湾曲部
【図１】
0003191283.tif 000003
【図２】
0003191283.tif 000004
【図３】
0003191283.tif 000005
【図４】
0003191283.tif 000006
【図５】
0003191283.tif 000007
【図６】
0003191283.tif 000008
【図７】
0003191283.tif 000009
【図８】
0003191283.tif 000010
【図９】
0003191283.tif 000011
【図１０】
0003191283.tif 000012
【図１１】
0003191283.tif 000013
【手続補正書】
【提出日】平成26年3月28日(2014.3.28)
【手続補正１】
【補正対象書類名】実用新案登録請求の範囲
【補正対象項目名】全文
【補正方法】変更
【補正の内容】
【実用新案登録請求の範囲】
【請求項１】
通気性があり適当な可撓性を有する軽量のシート部材により身体における局部性器及び肛門部に適合して、限定的な範囲で外包するとともに、身体局部の形状に適合して合致する曲面を有する立体防護カバー本体を設け、この立体防護カバー本体内には身体局部との間に吸収体を内在させる空間を形成し、上記立体防護カバー本体には伸縮自在な支持ベルトを連結自在に設けたことを特徴とする排泄物の立体防護カバー。
【請求項２】
前記立体防護カバー本体の男性器ならびに肛門部に合致して適合する部分に折りたたみ自在な収納ポケット部を設けたことを特徴とする請求項１に記載の排泄物の立体防護カバー
【請求項３】
前記立体防護カバー本体の外周には、身体下腹部から股間にかけての局部形状に適合して合致するよう形成した漏れ止め用の湾曲縁部を設けたことを特徴とする請求項１または２に記載の排泄物の立体防護カバー。